(57)【要約】【目的】外出先の電話機から自宅の電話機宛に新規な電子メールがきているか否かを知ることができ、更にきている場合には、電子メールを受信し、その都度指定できる外出先電話機にこの電子メールを音声でも転送可能にする。【構成】ＰＢ信号照合手段と、回線から入力した発信電話番号が前記記憶部に記憶したプロバイダ発信電話番号と一致したときプロバイダから電子メールの着信があったことを前記記憶部に記憶しておき、その後、他の回線から到来するＰＢ信号が暗証番号と一致すると、前記回線へ前記記憶部に電子メールの着信有りの記憶の有無の信号を送り、プロバイダにダイヤルアップを行い、前記電子メール受信手段により電子メールを取得して、再度前記回線を切断した後、前記記憶部に記憶する転送先電話番号宛に発信し、前記記憶部に記憶された電子メールを転送先の電話機に音声又はそのまま送出する。【選択図】図１
2004048314.tif 000002
【特許請求の範囲】
【請求項１】
ＰＢ信号受信部とＰＢ信号照合手段と、電子メール受信手段と、暗証番号とプロバイダの発信電話番号とを記憶する記憶部と、回線から入力した発信電話番号と前記記憶部に記憶したプロバイダ発信電話番号とを照合する電話番号照合手段と、前記電話番号照合手段での照合が一致したときプロバイダから電子メールの着信があったことを前記記憶部に記憶しておき、その後、回線から呼出に応答後、回線から到来するＰＢ信号と前記暗証番号とをＰＢ信号照合手段で照合、一致すると、前記回線へ前記記憶部に電子メールの着信有りの記憶の有無の信号を送り、その後回線から到来する信号が電子メール取り込みを指示するＰＢ信号であるなら、一旦前記回線を切断した後、プロバイダにダイヤルアップを行い、前記電子メール受信手段により電子メールを取得して、前記記憶部に記憶し、再度前記回線を切断した後、前記記憶部に記憶する転送先電話番号宛に発信し、前記記憶部に記憶された電子メールを転送先の電話機に送出することを特徴とする遠隔操作による電子メール受信転送電話機。
【請求項２】
前記記憶部に記憶する転送先電話番号は暗証番号の後に送られてくる転送先の電話番号としたことを特徴とした請求項１の遠隔操作による電子メール受信転送電話機。
【請求項３】
前記記憶部に記憶する転送先電話番号は、暗証番号を送ってくる電話機の発信電話番号としたことを特徴とした請求項１の遠隔操作による電子メール受信転送電話機。
【請求項４】
回線２本を収容し、ＰＢ信号受信部とＰＢ信号照合手段と、電子メール受信手段と、暗証番号とプロバイダ発信電話番号とを記憶する記憶部と、一方の回線から入力した発信電話番号と前記記憶部に記憶したプロバイダの発信電話番号とを照合する電話番号照合手段と、前記電話番号照合手段での照合が一致したときプロバイダから電子メールの着信があったことを前記記憶部に記憶しておき、その後、前記一方の回線から呼出に応答後、前記一方の回線から到来するＰＢ信号と前記暗証番号とをＰＢ信号照合手段で照合、一致すると、前記一方の回線へ前記記憶部に電子メールの着信有りの記憶の有無の信号を送り、その後回線から到来する信号が電子メール取り込みを指示するＰＢ信号であるなら、前記一方の回線とは異なる他方の回線を使用し、プロバイダにダイヤルアップを行い、前記電子メール受信手段により電子メールを取得して、前記記憶部に記憶し、切り離さないでおいた前記一方の回線を使用し、前記記憶部に記憶された電子メールを転送先の電話機に送出することを特徴とする遠隔操作による電子メール受信転送電話機。
【請求項５】
音声変換部を備え、前記記憶部に記憶された電子メールを音声変換部にて音声に変換し通知先の電話機に送出する請求項１、２、３及び４の遠隔操作による電子メール受信転送電話機。
【発明の詳細な説明】
【０００１】
【発明の属する技術分野】
本発明は遠隔操作による電子メール受信転送電話機に関する。
【０００２】
【従来の技術】
遠隔地で、インターネットサービスプロバイダ（以下プロバイダという）から自宅の電話機宛にきた電子メールを確認するためには、自宅の電話機を設定し遠隔地にある電子メールを受信可能な装置に転送している。
【０００３】
【発明が解決しようとする課題】
しかし従来、転送を受ける側に転送元で設定された電子メールを受信可能な装置と転送する側に転送機能を備えた装置が必要であった。
【０００４】
本発明の目的は、簡単な構成で、外出先の電話機から自宅の電話機宛に新規な電子メールがきているか否かを知ることができ、更にきている場合には、電子メールを受信し、その都度指定できる外出先電話機にこの電子メールを音声でも転送可能な電子メール受信転送電話機を提供することにある。
【０００５】
【課題を解決するための手段】
この目的を達成するため、本発明の構成を以下のようにした。
ＰＢ信号受信部とＰＢ信号照合手段と、電子メール受信手段と、暗証番号とプロバイダの発信電話番号とを記憶する記憶部と、回線から入力した発信電話番号と前記記憶部に記憶したプロバイダ発信電話番号とを照合する電話番号照合手段と、前記電話番号照合手段での照合が一致したときプロバイダから電子メールの着信があったことを前記記憶部に記憶しておき、その後、回線から呼出に応答後、回線から到来するＰＢ信号と前記暗証番号とをＰＢ信号照合手段で照合、一致すると、前記回線へ前記記憶部に電子メールの着信有りの記憶の有無の信号を送り、その後回線から到来する信号が電子メール取り込みを指示するＰＢ信号であるなら、一旦前記回線を切断した後、プロバイダにダイヤルアップを行い、前記電子メール受信手段により電子メールを取得して、前記記憶部に記憶し、再度前記回線を切断した後、前記記憶部に記憶する転送先電話番号宛に発信し、前記記憶部に記憶された電子メールを転送先の電話機に送出することを特徴とする遠隔操作による電子メール受信転送電話機。
【０００６】
【発明の実施の形態】
図１は本発明の１例である遠隔操作による電子メール受信転送電話機のブロック図である。図２は電子メール受信転送電話機を含むネットワークシステムの図である。
【０００７】
１０は電子メール受信転送電話機、２０は遠隔地にある電話機、３０はプロバイダのメールサーバ、４０は公衆電話網、５０はインターネットである。
１は公衆電話網の回線、２は電話機回路、３は制御部、４は表示部、５は操作部、６は記憶部、２１は発信電話番号検出部、２２はＰＢ信号受信部、２３はダイヤル送出部、２４はモデム、２５は音声変換回路、２６は用件Ａ／Ｄ変換部である。
【０００８】
図２に示すように、本発明に係る電子メール受信転送電話機１０は公衆電話網４０に接続されている。電子メール受信転送電話機１０は通常の発信電話番号表示機能付電話機の機能の他、プロバイダを介してインターネット５０に接続され、プロバイダのメールサーバ３０を介して電子メールの送受が行える。
【０００９】
また図１に示すように、用件Ａ／Ｄ変換部２６により記憶部６に用件データを記録したり、それを読み出し音声で出力すること及び回線１から入力するＰＢ信号をＰＢ信号受信部２２により受けその後制御部３にて各種制御を行う留守番電話機機能を備えている。
【００１０】
まず、プロバイダのメールサーバ３０にインターネット５０を介し電子メールが到来し、その旨を電子メール受信転送電話機１０に通知する動作を説明する。プロバイダのメールサーバ３０は、インターネット５０を介し電子メールを着信すると、電子メールアドレスと対応する宛先の電話番号を検索し、その電話番号に発信を行う。その電話番号が電子メール受信転送電話機１０のものなら、公衆電話網の回線１からプロバイダの発信電話番号が電子メール受信転送電話機１０に到達する。電子メール受信転送電話機１０では発信先電話番号検出部２１で入力した電話番号を検出し制御部３が記憶部６に格納されているプロバイダ発信電話番号と照合し一致すると記憶部６に電子メール有りを登録し、電話機回路２に回線１を開放するよう制御する。
【００１１】
次に電子メール受信転送電話機１０の所有者が外出先の電話機２０から自宅の電子メール受信転送電話機１０に電子メールがきているか否かを確認し、きていれば、電子メール受信転送電話機１０にプロバイダのメールサーバから受信させる制御を説明する。
【００１２】
所有者が外出先の電話機から自宅の電子メール受信転送電話機１０に発信し、接続された後、暗証番号及び新規電子メール有無を確認するＰＢ信号を送る。すると電子メール受信転送電話機１０のＰＢ信号受信部２２でこのＰＢ信号を検出し、制御部３が記憶部６にある暗証番号と照合し、一致すると次に検出したＰＢ信号が電子メール有無確認のものであると判別し記憶部５に記憶した電子メールの有無を確認する。制御部３が記憶部６に電子メール有りと記憶されていると、外出先の電話機に音声変換回路２５により音声で新規電子メールの有無と件数を通知する。また電子メールの取得と相手の発信電話番号以外の転送先に送ってほしい場合にはその電話番号の入力依頼のメッセージを送出する。外出先では希望するならその番号を入力する。ここで電子メール受信転送電話機１０はＰＢ信号受信部２２で検出した転送先電話番号を記憶部４に記憶した後、終話動作となる。なお転送先電話番号の入力がない場合には発信電話番号を転送先電話番号として記憶部４に記憶する。
【００１３】
上記の場合には、電子メール受信転送電話機１０はプロバイダの電話番号をダイヤル送出部２３から回線１に送出する制御を行う。プロバイダが応答するとモデム２４を介して記憶部４にあるユーザー名、パスワードを送出する。プロバイダのメールサーバ３０がユーザー名、パスワードを確認すると着信した電子メールを電子メール受信転送電話機１０あてに送出する。ここで電子メール受信転送電話機１０は新規に入力した電子メールを記憶部４に電子メールデータとして格納する。
【００１４】
次に外出先からの指示が転送までを要求していた場合には、制御部３は、記憶部４に格納されている転送電話番号をダイヤル送出部２３に送り回線１に送出する。転送先の電話機が応答すると、制御部３が記憶部６に格納された電子メールデータを読み出し音声変換回路２５で音声信号に変換し、回線１に送出する。外出者は聞き直し等にはＰＢ信号を使用して制御できるように電子メール受信転送電話機１０には制御機能の設定及び制御に対応するＰＢ信号の検出データを記憶しておく。なお、相手が電子メールが転送できる電話機である場合には電子メールをそのまま転送する。
【００１５】
上記ではアナログ回線１本について、説明したがＩＳＤＮ回線であると２回線が同時に使用できるため、外出先からの受信メール取得について、外出先との回線を保持したまま他の回線でプロバイダにダイヤルアップし、電子メールを取得した後、そのまま外出先の転送先電話機に音声で転送するか又は電子メールをそのまま転送することができる。
【００１６】
上述した説明では、自宅電話機宛に新規電子メールがあればすぐプロバイダにダイヤルアップして電子メールを取得したが、外出先電話機から複数件溜まってから取り出すようにしてもよい。また転送の場合も外出電話機でアクセスする都度ではなくまとめて転送するようにしてもよい。
【００１７】
【発明の効果】
以上により、自宅電話機あての電子メールをその都度希望の転送先で受けることができ、また音声でも受けることができるので通常の電話機からでも電子メールを聴取することができる。
【図面の簡単な説明】
【図１】本発明の１例である遠隔操作による電子メール受信転送電話機のブロック図
【図２】電子メール受信転送電話機を含むネットワークシステムの図
【符号の説明】
１０　電子メール受信転送電話機
２０　遠隔地にある電話機
３０　プロバイダのメールサーバ
４０　公衆電話網
５０　インターネット
１　公衆電話網の回線
２　電話機回路
２１　発信電話番号検出部
２２　ＰＢ信号受信部
２３　ダイヤル送出部
２４　モデム
２５　音声変換回路
２６　用件Ａ／Ｄ変換部
３　制御部
４　表示部
５　操作部
６　記憶部
【図１】
2004048314.tif 000003
【図２】
2004048314.tif 000004